(57)【特許請求の範囲】
【請求項１】
水栓本体の下部に形成した雄ねじ部を洗面台又は流し台の傾斜した天板に穿設した取付孔に挿通し、天板の下部からスペーサーを介して固定ナットを雄ねじ部に螺着することにより、水栓本体を垂直方向に取り付ける水栓の取付構造において、前記スペーサーは水栓本体の雄ねじ部周面を覆う円筒状で、上面に取付孔の周縁に密着する傾斜面を備え、内周面には雄ねじ部に弾力的に係合する脱落防止部材を設けたことを特徴とする水栓の取付構造。
【発明の詳細な説明】
【０００１】
【発明の属する技術分野】
この発明は、水栓を洗面化粧台又は流し台の傾斜した天板に取り付ける構造に関するものである。
【０００２】
【従来の技術】
従来、水栓を取り付ける洗面化粧台又は流し台の天板を前方に設けた洗面ボウルに向かって下方へ傾斜させることで、天板上にふりかかった水を洗面ボウルへ流れ落ちるようにしたものが公知であるが、この水栓の取付構造は図６に示す通りである。この図６について簡単に説明すると、水栓本体３３の下部に形成された雄ねじ部３４を傾斜した天板３１に穿設した取付孔３２に挿通し、天板３１の下部から取付孔３２周縁に合わせて、上部を傾斜して切り欠いた円筒状で合成樹脂材からなるスペーサー３５を介して固定ナット３６を水栓本体３３の雄ねじ部３４に螺着することで、傾斜した天板３１に水栓本体３３を垂直方向となるように取り付けるようにしたものである。
【０００３】
このように傾斜した天板に水栓本体は垂直方向となるように取り付ける場合は、水栓本体の雄ねじ部に天板の下部からスペーサーを挿通しておくが、固定ナットを雄ねじ部に螺着するまでスペーサーを一方の手で押さえて保持していないと雄ねじ部から落下してしまうという問題があり、作業性が悪く手間のかかるものであった。
【０００４】
【発明が解決しようとする課題】
本発明が解決しようとする課題は、洗面台又は流し台の傾斜した天板に水栓本体を取り付ける場合に、水栓本体を垂直方向に取り付けるためのスペーサーを雄ねじ部に挿通した後に手で保持しておく必要がないようにして、作業を容易且つ迅速に行えるようにすることである。
【０００５】
【課題を解決するための手段】
本発明では、水栓本体の下部に形成した雄ねじ部を洗面台又は流し台の傾斜した天板に穿設した取付孔に挿通し、天板の下部からスペーサーを介して固定ナットを雄ねじ部に螺着することにより、水栓本体を垂直方向に取り付ける水栓の取付構造において、前記スペーサーは水栓本体の雄ねじ部周面を覆う円筒状で、上面に取付孔の周縁に密着する傾斜面を備え、内周面には雄ねじ部に弾力的に係合する脱落防止部材を設けたものである。
【０００６】
【発明の実施の形態】
以下、本発明の実施の形態を図に基づいて詳細に説明する。水栓本体３は図１に示すように、洗面化粧台又は流し台の傾斜した天板１に取り付けて使用するものであり、底面部４を天板１の傾斜面に合わせて傾斜させることで垂直に取り付けられるようにし、上部に設けられたレバー５の左右回転方向及び上下への操作によって湯水の温度及び流量を調節し、回転自在の吐出管６から湯水を外部へ供給できる。
【０００７】
水栓本体３の下部に延長して一体に形成した円筒状の雄ねじ部７は下端に給水源に連通する給水管８及び給湯源に連通する給湯管９を接続し、前方へ向かって下方へ傾斜した天板１の取付孔２に上方から挿通し、天板１の下部に延出した雄ねじ部７に後述するスペーサー１１を挿通した後に固定ナット１０を螺着することで、傾斜した天板１に対し水栓本体３を垂直に固定している。
【０００８】
前記スペーサー１１は合成樹脂材からなり、水栓本体３の雄ねじ部７周面を覆う円筒状で、図２に示すように上面には傾斜した天板１の取付孔２周縁に密着する傾斜面１２を形成している。スペーサー１１の上面をこのような傾斜面とすることで、他方の下端に形成した平行面１３に対し固定ナット１０を向かい合わせた時に雄ねじ部７と固定ナット１０を同一垂直線上にすることができ、天板１の傾斜を補正して水栓本体３を垂直方向に取り付け可能にしている。
【０００９】
スペーサー１１の内周面には脱落防止部材１４が設けられている。この脱落防止部材１４は図２乃至図４に示すようにスペーサー１１の下部内周面に向かい合わせて一対設けられており、スペーサー１１の平行面１３から縦軸方向に切欠１５を形成し、この切欠１５により内周面の一部を分割した止め片１６が設けられている。該止め片１６は下端に係合爪１７を突出し、該係合爪１７はスペーサー１１の内周面よりも内側へ弾力的に常時突出し、外力が作用すると止め片１６は撓むようにしている。
【００１０】
従って図５に示すように、スペーサー１１を水栓本体３の雄ねじ部７に下方から挿通する場合、スペーサー１１を上部へ押し上げると脱落防止部材１４の止め片１６に形成した係合爪１７が雄ねじ部７のねじ山に弾力的に係合しあいながら上昇し、スペーサー１１から手を離してもこの係合爪１７と雄ねじ部７の係合によりスペーサー１１は雄ねじ部７から落下しないようにしている。また、スペーサー１１を水栓本体３の雄ねじ部７から外す場合は、スペーサー１１を手で持ち下方に向けて力を加えると係合爪１７は外周方向に広がり、容易に下方へ移動させることができる。
【００１１】
今、水栓本体３を傾斜した天板１に取り付ける場合について説明すると、まず水栓本体３の雄ねじ部７を天板１の取付孔２に上方から挿通して、雄ねじ部７を天板１の下部に臨ませる。次に天板１の下部から雄ねじ部７にスペーサー１１を挿通し、天板１に当接するまで上昇させる。この際スペーサー１１は図５に示すように、内周面に設けた脱落防止部材１４の係合爪１７が雄ねじ部７のねじ山に弾力的に係合しながら上昇するので、スペーサー１１から手を離しても雄ねじ部７から脱落することはない。
【００１２】
次に固定ナット１０を雄ねじ部７に下方から垂直方向に嵌め、スペーサー１１の傾斜面１２が天板１の取付孔２周縁に密着するように上方に螺着すれば、水栓本体３を天板１に固定することができる。
【００１３】
【発明の効果】
本発明では、水栓本体の下部に形成した雄ねじ部を洗面台又は流し台の傾斜した天板に穿設した取付孔に挿通し、天板の下部からスペーサーを介して固定ナットを雄ねじ部に螺着することにより、水栓本体を垂直方向に取り付ける水栓の取付構造において、前記スペーサーは水栓本体の雄ねじ部周面を覆う円筒状で、上面に取付孔の周縁に密着する傾斜面を備え、内周面には雄ねじ部に弾力的に係合する脱落防止部材を設けたので、傾斜した天板に水栓本体を垂直方向に取り付ける際に必要となるスペーサーは、水栓本体の雄ねじ部に挿通した状態で手を離しても落下することがなく雄ねじ部に保持されているので、水栓の取付作業を容易且つ迅速に行うことができる。
【図面の簡単な説明】
【図１】  天板に水栓を取り付ける状態の説明図である。
【図２】  スペーサーの縦断面図である。
【図３】  図２のＸ−Ｘ線断面図である。
【図４】  スペーサーの底面図である。
【図５】  スペーサーを水栓本体の雄ねじ部に挿通した状態の説明図である。
【図６】  従来技術の説明図である。
【符号の説明】
１            天板
２            取付孔
３            水栓本体
７            雄ねじ部
１０          固定ナット
１１          スペーサー
１４          脱落防止部材
１６          止め片
１７          係合爪
【図１】
0003662427.tif 000002
【図２】
0003662427.tif 000003
【図３】
0003662427.tif 000004
【図４】
0003662427.tif 000005
【図５】
0003662427.tif 000006
【図６】
0003662427.tif 000007